(57)【要約】  【課題】  本発明は、オーディオ信号がなくなった場合や音声レベルが低くなったときに、送受信装置双方が使用する通信媒体を切り換えることで省電力化を実現できるオーディオシステムを提供することを目的とする。  【解決手段】  ＡＶ機器１からスピーカ４−５，４−６それぞれに対するオーディオ信号が出力されなくなったとき、送信装置２及び受信装置３の間における通信方式が、データ効率の良い高速デジタル無線伝送方式から、低消費電力のＦＭ伝送方式に切り換えられる。そして、ＡＶ機器１からスピーカ４−５，４−６それぞれに対するオーディオ信号の出力が再開されると、送信装置２及び受信装置３の間における通信方式が高速デジタル無線伝送方式に切り換えられる。【選択図】      図１
2006324939.tif 000002
【特許請求の範囲】
【請求項１】
オーディオ信号を無線信号として第１通信方式で送信する第１無線送信部を備える送信装置と、前記送信装置からの前記第１通信方式による無線信号を受信してオーディオ信号を取得する第１無線受信部を備える受信装置と、を備えるオーディオシステムにおいて、
前記送信装置が、
前記受信装置に送信するオーディオ信号がないことを確認したときに前記第１通信方式と異なる第２通信方式で信号の送信動作を行うとともに前記第１無線送信部より低消費電力となる第２無線送信部と、
前記第１及び第２無線送信部それぞれの電源ＯＮ／ＯＦＦを制御する電源制御部と、
を備え、
前記受信装置が、
前記送信装置から送信されるオーディオ信号がないことを確認したときに前記第１通信方式と異なる第２通信方式で信号の受信動作を行うとともに前記第１無線受信部より低消費電力となる第２無線受信部と、
前記第１及び第２無線受信部それぞれの電源ＯＮ／ＯＦＦを制御する電源制御部と、
を備え、
前記送信装置において、前記受信装置に送信する前記オーディオ信号がないことが確認されると、前記電源制御部によって、前記第１無線送信部がＯＦＦとされるとともに前記第２無線送信部がＯＮとされ、
前記受信装置において、前記送信装置から送信された前記オーディオ信号がないことが確認されると、前記電源制御部によって、前記第１無線受信部がＯＦＦとされるとともに前記第２無線受信部がＯＮとされ、
前記送信装置において、前記受信装置に送信する前記オーディオ信号が再び発生したことが確認されると、前記オーディオ信号の発生を示す出力開始信号を前記第２無線送信部で生成して前記受信装置に送信した後、前記電源制御部によって、前記第１無線送信部がＯＮとされるとともに前記第２無線送信部がＯＦＦとされ、
前記受信装置において、前記送信装置からの前記出力開始信号が前記第２無線受信部で受信されると、前記電源制御部によって、前記第１無線受信部がＯＮとされるとともに前記第２無線受信部がＯＦＦとされることを特徴とするオーディオシステム。
【請求項２】
前記送信装置及び前記受信装置それぞれにおいて、前記オーディオ信号の信号レベルが所定の信号レベル以下となる状態が所定時間連続したことを確認したときに、前記オーディオ信号がないものと判断することを特徴とする請求項１に記載のオーディオシステム。
【請求項３】
前記送信装置において、前記受信装置に送信する前記オーディオ信号がないことが確認されると、前記オーディオ信号がないことを示す出力停止信号を前記第１無線送信部で生成して前記受信装置に送信した後、前記電源制御部によって、前記第１無線送信部がＯＦＦとされるとともに前記第２無線送信部がＯＮとされ、
前記受信装置において、前記送信装置からの前記出力停止信号が前記第１無線受信部で受信されると、前記電源制御部によって、前記第１無線受信部がＯＦＦとされるとともに前記第２無線受信部がＯＮとされることを特徴とする請求項１又は請求項２に記載のオーディオシステム。
【請求項４】
前記第１通信方式が高速デジタル無線伝送方式であり、前記第２通信方式がＦＭ伝送方式であることを特徴とする請求項１〜請求項３のいずれかに記載のオーディオシステム。
【請求項５】
請求項１〜請求項４のいずれかに記載のオーディオシステムにおける送信装置であって、
前記第１送信部として、
オーディオ信号をデジタル信号として変換するＡ／Ｄコンバータと、
該Ａ／Ｄコンバータからのデジタル信号を変調する第１変調部と、
前記第１変調部で変調された信号を前記第１通信方式に対して割り当てられたチャンネルの搬送波周波数による信号とする第１周波数変換部と、
前記第１周波数変換部で周波数変換された信号を送信する第１アンテナと、
を備え、
前記第２送信部として、
特定のパターンとなる信号を生成して変調して前記出力開始信号を生成する第２変調部と、
前記第２変調部で変調された信号を前記第２通信方式に対して割り当てられたチャンネルの搬送波周波数による信号とする第２周波数変換部と、
前記第２周波数変換部で周波数変換された信号を送信する第２アンテナと、
を備えることを特徴とする送信装置。
【請求項６】
請求項１〜請求項４のいずれかに記載のオーディオシステムにおける送信装置であって、
前記第１受信部として、
前記オーディオ信号となる無線信号を受信する第１アンテナと、
前記第１通信方式に対して割り当てられたチャンネルの搬送波周波数による信号を選局する第１選局部と、
前記第１選局部で選局された信号を復調する第１復調部と、
前記第１復調部で復調された信号をアナログ信号となるオーディオ信号に変換するＡ／Ｄコンバータと、
を備え、
前記第２受信部として、
前記出力開始信号となる無線信号を受信する第２アンテナと、
前記第２通信方式に対して割り当てられたチャンネルの搬送波周波数による信号を選局する第２選局部と、
前記第２選局部で選局された信号を復調して前記電源制御部に与える第２復調部と、
を備えることを特徴とする受信装置。
【発明の詳細な説明】
【技術分野】
【０００１】
本発明は、再生するオーディオ信号をスピーカに無線回線によって送信して音声出力を行うオーディオシステムに関する。
【背景技術】
【０００２】
従来より、音声及び映像を再生するＡＶ（Audio Visual）機器からの音声信号であるオーディオ信号が複数のスピーカで再生されることで音場を再現する、いわゆるサラウンドシステムやドルビーシステム等のようなオーディオシステムが提供されている。このようなオーディオシステムにおいて、前方左右、前方中央、後方左右のそれぞれに対応する５つのスピーカと低音域専用の１つのスピーカを接続し、いわゆる５．１チャンネルの音声出力を行うことができるものや、８つのスピーカを接続し、５．１チャンネルに対してさらに２チャンネルを追加した、いわゆる７．１チャンネルの音声出力を行うことができるものが存在する。
【０００３】
更に、近年においては、無線通信技術の発達により、このようなオーディオシステムにおいて、ＡＶ機器と外部のスピーカとの間を有線となるケーブルで接続するのではなく、無線化したものが提供されている。本出願人も、このようなオーディオシステムとして、左右フロントスピーカが設けられたＡＶ機器に外部機器となる左右リアスピーカをＡＶ機器に接続することで、４つのスピーカによるサラウンドシステムを構築するオーディオシステムを提案している（特許文献１参照）。又、２．４ＧＨｚ帯のデジタル伝送方式を用いたオーディオシステムでは、ＡＶ機器と外部のスピーカとの間で２．４ＧＨｚ帯における同一チャンネルを用いた無線通信が行われることで、ＡＶ機器からのオーディオ信号がスピーカに送信されて音声出力が成される。
【特許文献１】特開平６−５３８６７号公報
【発明の開示】
【発明が解決しようとする課題】
【０００４】
この無線通信を用いたオーディオシステムにおいては、２．４ＧＨｚ帯のデジタル伝送方式が使用されるとき、スピーカに接続される受信装置において、２．４ＧＨｚ帯内で周波数スキャンが行われて、ＡＶ機器と接続される送信装置からの信号を探査する。そして、送受信装置双方で同一の周波数チャンネルに設定されることで、送信装置より受信装置にオーディオ信号が送信される。このオーディオシステムでは、送信装置において、ＡＶ機器で再生されたコンテンツに一時的に音声がないのか、ＡＶ機器が電源ＯＦＦとされたためにオーディオ信号がないのか、いずれの理由でオーディオ信号が受信されなくなったのか確認できない。
【０００５】
そのため、ＡＶ機器が電源ＯＦＦされた場合においても、送信装置がＯＮのままとなり無駄な消費電力が生じてしまう。又、ＡＶ機器がＯＮの場合においては、再生される音声が無声でありそのオーディオ信号がないときでも、音のレベルが最低レベルとなるオーディオ信号を受信装置に送信するための送信動作を行う必要があり、無駄に電力を消費する。更に、このようなオーディオシステムにおいて、２．４ＧＨｚ帯のデジタル伝送方式のような高周波の信号が使用されると、送受信装置双方における消費電力が大きい。
【０００６】
又、送信装置が電源ＯＦＦとされても、受信装置をも電源ＯＦＦすることをユーザが指示する必要があり、受信装置を直接操作するか、又は、赤外線リモコンなどによって指示することで、電源ＯＦＦを指示するまで受信装置が動作することとなる。よって、ユーザによる電源ＯＦＦの指示が忘れられたとき、又は、赤外線リモコンによる赤外線通信路上に遮蔽物が存在してその指示が受信側に与えられなかったときは、受信装置がＯＮのままであり、無駄な電力が消費されることとなる。更に、送信装置に応じて受信装置も自動的に電源ＯＦＦとされることがないため、その操作性も悪い。
【０００７】
このような問題を鑑みて、本発明は、オーディオ信号がなくなった場合や音声レベルが低くなったときに、送受信装置双方が使用する通信媒体を切り換えることで省電力化を実現できるオーディオシステムを提供することを目的とする。
【課題を解決するための手段】
【０００８】
上記目的を達成するために、本発明のオーディオシステムは、オーディオ信号を無線信号として第１通信方式で送信する第１無線送信部を備える送信装置と、前記送信装置からの前記第１通信方式による無線信号を受信してオーディオ信号を取得する第１無線受信部を備える受信装置と、を備えるオーディオシステムにおいて、前記送信装置が、前記受信装置に送信するオーディオ信号がないことを確認したときに前記第１通信方式と異なる第２通信方式で信号の送信動作を行うとともに前記第１無線送信部より低消費電力となる第２無線送信部と、前記第１及び第２無線送信部それぞれの電源ＯＮ／ＯＦＦを制御する電源制御部と、を備え、前記受信装置が、前記送信装置から送信されるオーディオ信号がないことを確認したときに前記第１通信方式と異なる第２通信方式で信号の受信動作を行うとともに前記第１無線受信部より低消費電力となる第２無線受信部と、前記第１及び第２無線受信部それぞれの電源ＯＮ／ＯＦＦを制御する電源制御部と、を備え、前記送信装置において、前記受信装置に送信する前記オーディオ信号がないことが確認されると、前記電源制御部によって、前記第１無線送信部がＯＦＦとされるとともに前記第２無線送信部がＯＮとされ、前記受信装置において、前記送信装置から送信された前記オーディオ信号がないことが確認されると、前記電源制御部によって、前記第１無線受信部がＯＦＦとされるとともに前記第２無線受信部がＯＮとされ、前記送信装置において、前記受信装置に送信する前記オーディオ信号が再び発生したことが確認されると、前記オーディオ信号の発生を示す出力開始信号を前記第２無線送信部で生成して前記受信装置に送信した後、前記電源制御部によって、前記第１無線送信部がＯＮとされるとともに前記第２無線送信部がＯＦＦとされ、前記受信装置において、前記送信装置からの前記出力開始信号が前記第２無線受信部で受信されると、前記電源制御部によって、前記第１無線受信部がＯＮとされるとともに前記第２無線受信部がＯＦＦとされることを特徴とする。
【０００９】
このようなオーディオシステムにおいて、前記送信装置及び前記受信装置それぞれにおいて、前記オーディオ信号の信号レベルが所定の信号レベル以下となる状態が所定時間連続したことを確認したときに、前記オーディオ信号がないものと判断する。
【００１０】
又、前記送信装置において、前記受信装置に送信する前記オーディオ信号がないことが確認されると、前記オーディオ信号がないことを示す出力停止信号を前記第１無線送信部で生成して前記受信装置に送信した後、前記電源制御部によって、前記第１無線送信部がＯＦＦとされるとともに前記第２無線送信部がＯＮとされ、前記受信装置において、前記送信装置からの前記出力停止信号が前記第１無線受信部で受信されると、前記電源制御部によって、前記第１無線受信部がＯＦＦとされるとともに前記第２無線受信部がＯＮとされるものとしても構わない。
【００１１】
前記第１通信方式が高速デジタル無線伝送方式であり、前記第２通信方式がＦＭ伝送方式であるものとしても構わない。
【００１２】
本発明の送信装置は、上述のようなオーディオシステムにおける送信装置であって、前記第１送信部として、オーディオ信号をデジタル信号として変換するＡ／Ｄコンバータと、該Ａ／Ｄコンバータからのデジタル信号を変調する第１変調部と、前記第１変調部で変調された信号を前記第１通信方式に対して割り当てられたチャンネルの搬送波周波数による信号とする第１周波数変換部と、前記第１周波数変換部で周波数変換された信号を送信する第１アンテナと、を備え、前記第２送信部として、特定のパターンとなる信号を生成して変調して前記出力開始信号を生成する第２変調部と、前記第２変調部で変調された信号を前記第２通信方式に対して割り当てられたチャンネルの搬送波周波数による信号とする第２周波数変換部と、前記第２周波数変換部で周波数変換された信号を送信する第２アンテナと、を備えることを特徴とする。
【００１３】
本発明の受信装置は、上述のようなオーディオシステムにおける受信装置であって、前記第１受信部として、前記オーディオ信号となる無線信号を受信する第１アンテナと、前記第１通信方式に対して割り当てられたチャンネルの搬送波周波数による信号を選局する第１選局部と、前記第１選局部で選局された信号を復調する第１復調部と、前記第１復調部で復調された信号をアナログ信号となるオーディオ信号に変換するＡ／Ｄコンバータと、を備え、前記第２受信部として、前記出力開始信号となる無線信号を受信する第２アンテナと、前記第２通信方式に対して割り当てられたチャンネルの搬送波周波数による信号を選局する第２選局部と、前記第２選局部で選局された信号を復調して前記電源制御部に与える第２復調部と、を備えることを特徴とする。
【発明の効果】
【００１４】
本発明によると、オーディオ信号がないときは、送信装置及び受信装置それぞれが低消費電力となる第２通信方式によって通信動作を行うため、各装置における省電力化を図ることができる。又、送信装置及び受信装置それぞれが独自に第２通信方式による通信動作に移行するため、送信装置が電源ＯＦＦとなっている場合においても、受信装置が独自でオーディオ信号がないことを判断して省電力化を図ることができる。又、送信装置から出力開始信号が受信装置に送信されるため、受信装置は、オーディオ信号が確実に存在することを確認して第１通信方式による通信動作に移行することができる。
【発明を実施するための最良の形態】
【００１５】
本発明の実施形態について、図面を参照して説明する。図１は、本実施形態におけるオーディオシステムの構成を示すブロック図である。又、図２が、図１のオーディオシステムにおける送信装置の内部構成を示すブロック図であり、図３が、図１のオーディオシステムにおける受信装置の内部構成を示すブロック図である。
【００１６】
図１のオーディオシステムは、チューナで受信した放送信号又は記録媒体から再生した記録信号よりオーディオ信号を選択して出力するＡＶ機器１と、ＡＶ機器１からのオーディオ信号を受信して送信する送信装置２と、この送信装置２から送信されるオーディオ信号を受信する受信装置３と、ＡＶ機器１と直接接続されたスピーカ４−１〜４−４と、受信装置３で受信されたオーディオ信号が与えられるスピーカ４−５，４−６と、を備える。又、スピーカ４−１が「センタースピーカ」であり、スピーカ４−２，４−３がそれぞれ「左フロントスピーカ」「右フロントスピーカ」であり、スピーカ４−４が「サブウーハスピーカ」であり、スピーカ４−５，４−６がそれぞれ「左リアスピーカ」「右リアスピーカ」であり、スピーカ４−１〜４−６によって５．１チャンネルのスピーカシステムが構成されているものとする。
【００１７】
このようなオーディオシステムにおいて、ＡＶ機器１では、放送信号又は記録信号から音声信号であるオーディオ信号を抽出して、ＡＶ機器１に接続された送信装置２及びスピーカ４−１〜４−４に送信する。このとき、ＡＶ機器１で処理される放送信号又は記録信号が動画である場合、映像信号となるビジュアル信号が処理されて、その映像がＡＶ機器１に備えられたディスプレイなどの表示部に表示される。尚、この表示部は、ＡＶ機器１に備えられるものとしても構わないし、ＡＶ機器１とは別の外部機器とし、ＡＶ機器１から表示部にビジュアル信号が送信されるものとしても構わない。
【００１８】
ＡＶ機器１からスピーカ４−１〜４−４に送信されるオーディオ信号は、スピーカ４−１〜４−４それぞれが担当するチャンネルのオーディオ信号であり、ＡＶ機器１から送信装置２に送信されるオーディオ信号は、スピーカ４−５，４−６が担当するチャンネルのオーディオ信号である。即ち、センターチャンネル（Ｃチャンネル）のオーディオ信号がスピーカ４−１に出力され、左フロントチャンネル（Ｌチャンネル）のオーディオ信号がスピーカ４−２に出力され、右フロントチャンネル（Ｒチャンネル）のオーディオ信号がスピーカ４−３に出力され、サブウーハチャンネル（ＬＦＥチャンネル）のオーディオ信号がスピーカ４−４に出力される。又、左リアチャンネル（ＲＬチャンネル）及び右リアチャンネル（ＲＲチャンネル）それぞれのオーディオ信号が送信装置２に送信される。
【００１９】
又、送信装置２では、オーディオ信号をＡＶ機器１から受信すると、そのオーディオ信号の状態に応じて、データの通信効率の良いデジタル無線伝送方式と低消費電力となるＦＭ伝送方式との間で、受信装置３への送信するための通信方式を選択する。そして、選択した通信方式に基づいて、オーディオ信号を符号化及び変調して受信装置３へ送信する。受信装置３では、送信装置２から送信された信号を復調及び復号化した後、復号化されて得られたオーディオ信号よりＲＬチャンネル及びＲＲチャンネルそれぞれのオーディオ信号を抽出して、接続されたスピーカ４−５，４−６に送信する。即ち、ＲＬチャンネルのオーディオ信号がスピーカ４−５に出力され、ＲＲチャンネルのオーディオ信号がスピーカ４−６に出力される。
【００２０】
このようなオーディオシステムにおける送信装置２及び受信装置３の詳細について、以下に説明する。まず、送信装置２及び受信装置３の構成について説明する。
【００２１】
図２の送信装置２は、ＡＶ機器１から送信されるアナログ信号となるオーディオ信号をデジタル信号に変換するＡ／Ｄコンバータ２１と、Ａ／Ｄコンバータ２１からのデジタル信号を受信装置３と共通の圧縮符号化方式で圧縮符号化するとともに受信装置３と共通の高速デジタル変調方式でデジタル変調を行う変調部２２と、変調部２２でデジタル変調された信号をデジタル無線伝送方式に対して割り当てられたチャンネルの搬送波周波数による無線信号を生成する周波数変換部２３と、周波数変換部２３で生成された無線信号を送信するアンテナ２４と、特定の周波数変調パターンの信号を生成するＦＭ変調部２５と、ＦＭ変調部２５で生成された信号をＦＭ伝送方式に対して割り当てられたチャンネルの搬送波周波数によるＦＭ信号を生成するＦＭ周波数変換部２６と、ＦＭ周波数変換部２６で生成されたＦＭ信号を送信するアンテナ２７と、装置２内部の各ブロックに対する電源供給のＯＮ／ＯＦＦを制御する電源制御部２８と、装置２内の制御動作をおこなう制御部２９と、を備える。
【００２２】
又、図３の受信装置３は、送信装置２から送信される無線信号を受信するアンテナ３１と、アンテナ３１において無線伝送方式に対して割り当てられたチャンネルの無線信号を選局する選局部３２と、選局部３２で受信された無線信号を共通の高速デジタル変調方式により復調するとともに共通の圧縮符号化方式で伸長復号化する復調部３３と、復調部３３で復調されたデジタル信号よりＲＬチャンネル及びＲＲチャンネルそれぞれのオーディオ信号となるデジタル信号を抽出する信号抽出部３４ａ，３４ｂと、信号抽出部３４ａ，３４ｂそれぞれで抽出されたデジタル信号をアナログ信号に変換してスピーカ４−５，４−６に送信するＤ／Ａコンバータ３５ａ，３５ｂと、送信装置２から送信されるＦＭ信号を受信するアンテナ３６と、アンテナ３６においてＦＭ伝送方式に対して割り当てられたチャンネルのＦＭ信号を選局するＦＭ選局部３７と、ＦＭ選局部３７で選局されたＦＭ信号を復調して周波数変調パターンを解析するＦＭ復調部３８と、装置３内部の各ブロックに対する電源供給のＯＮ／ＯＦＦを制御する電源制御部３９と、装置３内の制御動作をおこなう制御部４０と、を備える。
【００２３】
ＡＶ機器１からＲＬ，ＲＲチャンネルのオーディオ信号が送信装置２に送信されると、制御部２９において、ＡＶ機器１からのオーディオ信号の入力が確認されるため、電源制御部２８によって、Ａ／Ｄコンバータ２１、変調部２２、及び、周波数変換部２３をＯＮとし、ＦＭ変調部２５及びＦＭ周波数変換部２６をＯＦＦとする。よって、入力されたオーディオ信号が、Ａ／Ｄコンバータ２１においてデジタル信号に変換されて、変調部２２に与えられる。そして、変調部２２では、デジタル信号にデータ圧縮した後、ＱＡＭ（Quadrature Amplitude Modulation）やＱＰＳＫ（Quadrature Phase Shift Keying）などの高速デジタル変調方式に基づく変調を施す。このようにして高速デジタル変調されたオーディオ信号が周波数変換部２３に与えられると、送信装置２に割り当てられたチャンネルの搬送波周波数に周波数変換して無線信号とされ、アンテナ２４より送信される。
【００２４】
この無線信号が送信装置２より送信されると、既にチャンネルサーチを行って送信装置２から無線信号が送信されるチャンネルの搬送波周波数を確認した受信装置３において、無線信号が受信される。このとき、送信装置２から送信された無線信号を受信するように、選局部３２において、選局する搬送周波数が設定されている。又、無線信号が受信できるように、電源制御部３９によって、選局部３２、復調部３３、信号抽出部３４ａ，３４ｂ及び、Ｄ／Ａコンバータ３５ａ，３５ｂをＯＮとし、ＦＭ選局部３７及びＦＭ復調部３８をＯＦＦとする。よって、送信装置２からの無線信号がアンテナ３１及び選局部３２で受信されると、選局部３２で周波数変換された後、復調部３３に与えられる。
【００２５】
そして、復調部３３おいて、送信装置２と共通の高速デジタル変調方式で復調を行った後、データ伸長が成されて、デジタル信号となるオーディオ信号が得られる。このデジタル信号となるオーディオ信号が信号抽出部３４ａ，３４ｂそれぞれに与えられると、信号抽出部３４ａで、ＲＬチャンネルのオーディオ信号となるデジタル信号が抽出され、信号抽出部３４ｂで、ＲＲチャンネルのオーディオ信号となるデジタル信号が抽出される。そして、Ｄ／Ａコンバータ３５ａによってアナログ信号となるＲＬチャンネルのオーディオ信号が得られると、スピーカ４−５に出力されてＲＬチャンネルの音声が出力される。又、Ｄ／Ａコンバータ３５ｂによってアナログ信号となるＲＲチャンネルのオーディオ信号が得られると、スピーカ４−６に出力されてＲＲチャンネルの音声が出力される。
【００２６】
このようにして、ＲＲチャンネル及びＲＬチャンネルのオーディオ信号がＡＶ機器１から送信され、送信装置２と受信装置３との間でデジタル無線伝送方式による通信が行われることで、スピーカ４−５，４−６から音声が出力される。そして、ＡＶ機器１からＲＬチャンネル及びＲＲチャンネルのオーディオ信号が送信されなくなったとき、送信装置２が、オーディオ信号の入力がないことを制御部２９で確認する。その後、制御部２９において、オーディオ信号の入力が所定時間以上連続してないことを確認すると、ＡＶ機器１によるオーディオ信号の出力がないものと判断される。
【００２７】
よって、電源制御部２８によって、Ａ／Ｄコンバータ２１、変調部２２、及び、周波数変換部２３をＯＦＦとし、ＦＭ変調部２５及びＦＭ周波数変換部２６をＯＮとする。このようにして、消費電力の大きいデジタル無線伝送方式による送信動作を停止するとともに、デジタル無線伝送方式に比べて消費電力の小さいアナログＦＭ伝送方式による送信動作を駆動する。即ち、ＲＲチャンネル及びＲＬチャンネルのオーディオ信号の時間遅れを少なくするために、変調部２２でのデータ圧縮や高速デジタル変調を施すことで多くの消費電流を必要とするが、この変調部２２を含むデジタル無線伝送方式によるブロック（デジタル動作によるブロック）の駆動を停止することで、その消費電力を抑えて「省電力モード」とすることができる。
【００２８】
ＦＭ伝送方式によるブロック（アナログ動作によるブロック）の駆動を開始した「省電力モード」としたとき、制御部２９において、ＡＶ機器１からのオーディオ信号の入力の有無が確認され続ける。そして、ＡＶ機器１からのオーディオ信号が入力されたことを制御部２９が確認すると、一定パターンの信号が制御部２９で生成され、この一定パターンに従ってＦＭ変調部２５が動作することでＦＭ変調された出力開始信号が生成される。この出力開始信号が、ＦＭ周波数変換部２６において、ＦＭ伝送方式による通信に割り当てられたチャンネルの搬送波周波数のＦＭ信号に変換され、アンテナ２７より送信される。
【００２９】
その後、電源制御部２８によって、Ａ／Ｄコンバータ２１、変調部２２、及び、周波数変換部２３をＯＮとし、ＦＭ変調部２５及びＦＭ周波数変換部２６をＯＦＦとする。このようにすることで、再び、デジタル無線伝送方式による送信動作の駆動を開始するとともに、ＦＭ伝送方式による送信動作を停止し、「省電力モード」からオーディオ信号を送信する「通常動作モード」に切り替わる。
【００３０】
このような送信装置２に対して、受信装置３では、制御部４０において、選局部３２での受信強度又はＤ／Ａコンバータ３５ａ，３５ｂでの入出力信号のいずれかの信号レベルを確認することで、ＲＲチャンネル及びＲＬチャンネルのオーディオ信号の有無が確認される。そして、制御部４０がオーディオ信号の受信が所定時間以上連続してないことを確認すると、送信装置２からのオーディオ信号の送信がないものと判断される。
【００３１】
よって、電源制御部３９によって、選局部３２、復調部３３、信号抽出部３４ａ，３４ｂ及び、Ｄ／Ａコンバータ３５ａ，３５ｂをＯＦＦとし、ＦＭ選局部３７及びＦＭ復調部３８をＯＮとする。このようにして、消費電力の大きいデジタル無線伝送方式による受信動作を停止するとともに、デジタル無線伝送方式に比べて消費電力の小さいアナログＦＭ伝送方式による受信動作を駆動する。即ち、送信装置２と同様、デジタル無線伝送方式によるブロック（デジタル動作によるブロック）の駆動を停止するとともに、ＦＭ伝送方式によるブロック（アナログ動作によるブロック）の駆動を開始することで、その消費電力を抑えて「省電力モード」とすることができる。
【００３２】
このように、ＦＭ選局部３７及びＦＭ復調部３８が駆動することによって、送信装置２から送信される出力開始信号の受信の有無が確認される。このとき、ＡＶ機器１からＲＲチャンネル及びＲＬチャンネルのオーディオ信号の送信が再開されて、送信装置２から出力開始信号が送信されると、この出力開始信号がアンテナ３６及びＦＭ選局部３７によって受信される。そして、受信された出力開始信号の周波数が変換されてＦＭ復調部３８に与えられると、ＦＭ復調が行われることで、出力開始信号に与えられた一定のパターンとなる信号が制御部４０に与えられる。
【００３３】
よって、制御部４０によって、オーディオ信号の送信が再開されたことが確認され、電源制御部３９によって、選局部３２、復調部３３、信号抽出部３４ａ，３４ｂ及び、Ｄ／Ａコンバータ３５ａ，３５ｂをＯＮとし、ＦＭ選局部３７及びＦＭ復調部３８をＯＦＦとする。このようにすることで、再び、デジタル無線伝送方式による受信動作の駆動を開始するとともに、ＦＭ伝送方式による受信動作を停止し、「省電力モード」からオーディオ信号を送信する「通常動作モード」に切り替わる。
【００３４】
このように、本実施形態において、送信装置２及び受信装置３それぞれが、所定時間の信号の受信を確認しなかったときに、ＡＶ機器１からのオーディオ信号の出力がないものとし、デジタル無線伝送方式によるブロック（デジタル動作によるブロック）を電源ＯＦＦとするとともに、ＦＭ伝送方式によるブロック（アナログ動作によるブロック）を電源ＯＮとするものとした。このようにすることで、送信装置２及び受信装置３それぞれは、独立して「省電力モード」にその動作状態を移行することができるため、例えば、送信装置２を電源ＯＦＦとしたときにおいて、受信装置３は、送信装置２からのオーディオ信号の送信がないことを確認して、「省電力モード」に移行することができ、その消費電力を抑制することができる。
【００３５】
尚、本実施形態において、送信装置２において、ＡＶ機器１からのオーディオ信号の出力がないことが確認されると、オーディオ信号の出力が停止されたことを示す出力停止信号がデジタル無線伝送方式によって受信装置３に送信されるものとしても構わない。このとき、送信装置２では、オーディオ信号の出力が停止されたことを示す一定パターンの信号が制御部２９で生成され、この一定パターンに従って変調部２２が動作することで高速デジタル変調された出力停止信号が生成される。この出力停止信号が、周波数変換部２３において、高速デジタル無線伝送方式による通信に割り当てられたチャンネルの搬送波周波数の無線信号に変換され、アンテナ２４より送信される。その後、送信装置２の動作状態が「省電力モード」に移行する。
【００３６】
これに対して、受信装置３は、送信装置２からの出力停止信号をアンテナ３１及び選局部３２で受信すると、受信した出力停止信号が復調部３３で復調されることで、制御部４０において、その出力停止信号による一定パターンを確認し、ＡＶ機器１からのオーディオ信号の出力がないことを認識して、その動作状態を「省電力モード」に移行する。又、この受信装置３は、出力停止信号の受信がない場合においても、所定時間、送信装置２からの無線信号の送信がないことを確認したとき、ＡＶ機器１からのオーディオ信号の出力がないものと判断し、その動作状態を「省電力モード」に移行する。
【００３７】
又、本実施形態において、送信装置２がＡＶ機器１に接続されるものとしたが、送信装置２と同一の機能を備えたブロックがＡＶ機器１に含まれるものとしても構わない。同様に、受信装置３と同一の機能を備えたブロックがスピーカ４−５，４−６に含まれるものとしても構わない。このとき、スピーカ４−５，４−６の一方のスピーカが受信装置３と同一の機能を備え、他方のスピーカにオーディオ信号が送信される。
【００３８】
又、本実施形態において、送信装置２が電源ＯＦＦとされた後に電源ＯＮとされたとき、ＡＶ機器１からのオーディオ信号の有無にかかわらず、ＦＭ変調部２５とＦＭ周波数変換部２６を動作させて、出力開始信号をＦＭ信号として受信装置３に送信するものとしても構わない。このとき、受信装置３では、アンテナ３６、ＦＭ選局部３７、及びＦＭ復調部３８によってＦＭ信号である出力開始信号を受信するため、「通常モード」となり、デジタル無線伝送方式によるブロック（デジタル動作によるブロック）を電源ＯＮとするとともに、ＦＭ伝送方式によるブロック（アナログ動作によるブロック）を電源ＯＦＦとすることができる。このとき、送信装置２は、ＦＭ信号となる出力開始信号を送信した後、ＦＭ伝送方式によるブロック（アナログ動作によるブロック）を電源ＯＦＦとする。
【００３９】
更に、本実施形態において、ＲＬチャンネル及びＲＲチャンネルのオーディオ信号が送信装置２から受信装置３に送信され、ＲＬチャンネル及びＲＲチャンネルそれぞれのオーディオ信号が分割されて、受信装置３からスピーカ４−５，４−６に振り分けられて与えられるものとしたが、スピーカ４−５，４−６それぞれに受信装置３と同様の機能を備えた受信装置が接続されるものとしても構わない。このとき、スピーカ４−５，４−６それぞれに接続された受信装置３に対して別のチャンネルによるデジタル無線通信が行われることで、オーディオ信号が送信されるとともに、同一チャンネルによるＦＭ通信が行われることで実現できる。
【００４０】
又、デジタル無線通信で別のチャンネルとするとき、時分割によってチャンネルを異なるものとしても構わないし、コード別によってチャンネルを異なるものとしても構わないし、搬送波周波数によってチャンネルを異なるものとしても構わない。更に、このとき、ＲＬチャンネル及びＲＲチャンネルのオーディオ信号だけでなく、Ｃチャンネル、Ｌチャンネル、Ｒチャンネル、及びＬＦＥチャンネルそれぞれのオーディオ信号も送信されるものとし、スピーカ４−１〜４−６それぞれに受信装置が接続されるものとしても構わない。又、それぞれのスピーカに、受信装置３と同一の機能を備えたブロックが含まれるものとしても構わない。
【００４１】
更に、「省電力モード」と「通常モード」との切換を行う基準となるオーディオ信号の有無について、送信装置２では、Ａ／Ｄコンバータ２１の入出力信号のいずれかの信号レベルの大きさに基くものとし、受信装置３では、Ｄ／Ａコンバータ３５ａ，３５ｂの入出力信号のいずれかの信号レベルの大きさに基づくものとしても構わない。即ち、ＡＶ機器１からのオーディオ信号の信号レベルの大きさが所定値より大きいとき、オーディオ信号があるものと判断して、デジタル無線伝送方式による通信が行われるように、送信装置２及び受信装置３が「通常モード」となるブロックが電源制御部２８，３９それぞれによって駆動される。一方、ＡＶ機器１からのオーディオ信号の信号レベルの大きさが所定値以下となるとき、オーディオ信号がないものと判断して、ＦＭ伝送方式による通信が行われるように、送信装置２及び受信装置３が「省電力モード」となるブロックが電源制御部２８，３９それぞれによって駆動される。
【産業上の利用可能性】
【００４２】
本発明は、５．１チャンネルや７．１チャンネルの音声出力を行うような複数のスピーカで音声出力を行うサラウンドシステムやドルビーシステム等のようなオーディオシステムにおいて適用可能である。
【図面の簡単な説明】
【００４３】
【図１】は、本発明の実施形態のオーディオシステムの構成を示すブロック図である。
【図２】は、図１のオーディオシステムにおける送信装置の内部構成を示すブロック図である。
【図３】は、図１のオーディオシステムにおける受信装置の内部構成を示すブロック図である。
【符号の説明】
【００４４】
１    ＡＶ機器
２    送信装置
３    受信装置
４−１〜４−６    スピーカ
２１    Ａ／Ｄコンバータ
２２    変調部
２３    周波数変換部
２４    アンテナ
２５    ＦＭ変調部
２６    ＦＭ周波数変換部
２７    アンテナ
２８    電源制御部
２９    制御部
３１    アンテナ
３２    選局部
３３    復調部
３４ａ，３４ｂ    信号抽出部
３５ａ，３５ｂ    Ｄ／Ａコンバータ
３６    アンテナ
３７    ＦＭ選局部
３８    ＦＭ復調部
３９    電源制御部
４０    制御部
【図１】
2006324939.tif 000003
【図２】
2006324939.tif 000004
【図３】
2006324939.tif 000005